(57)【要約】【課題】本発明は、測定開始時に測定手順、動作手順及び測定時間の一連の処理手順を記録し、次測定時の入力操作を簡単にした波形表示装置を提供する。【解決手段】複数の同一測定対象物のうち、最初の測定対象物を測定する際に、測定点Ｐ１に対しパネル表示設定操作されるとＭ１、該パネル表示設定が保存されＴ１、測定時間が計測開始される。測定点Ｐ１の測定が終わり、測定点Ｐ２に対しパネル表示設定操作されると、測定点Ｐ１の測定時間が記録されＴ２、該パネル表示設定が保存されＴ３、測定時間が計測開始される。測定点Ｐ２の測定が終わり、測定点Ｐ２のデータ保存操作がされるとＭ５、測定点Ｐ２の測定時間が記録されＴ４、該データ保存操作が記録されＴ５、測定点Ｐ３に対しパネル表示設定操作されると、該パネル表示設定が保存されＴ６、測定時間が計測開始される。この様に測定点Ｐ１〜Ｐ３に係る一連の処理手順が記録され、次の測定対象物の測定時に該手順が再生される。【選択図】　　　図２
2004077443.tif 000002
【特許請求の範囲】
【請求項１】
アナログ入力信号をデジタルデータに変換して該入力信号の波形を表示画面に表示する制御部と、該制御部の処理に対して入力操作できる操作パネル部とを有する波形表示装置において、
前記制御部は、前記操作パネル部から入力された入力操作を記録し、該入力操作に続く次入力操作が入力されるまでの時間を計測し、該時間を前記入力操作と前記次入力操作に関連させた一連の処理手順を記録することを特徴とする波形表示装置。
【請求項２】
前記制御部は、前記操作パネル部から再生指示が入力されたとき、記録された前記入力操作と前記時間に基づいた前記処理手順を再生しながら、入力されたアナログ入力信号の波形に関する処理を再生することを特徴とする請求項１に記載の波形表示装置。
【請求項３】
前記入力操作の代りに、前記表示画面に係るパネル表示設定を記録することを特徴とする請求項１乃至３のいずれか一項に記載の波形表示装置。
【請求項４】
前記波形に関する処理は、前記入力信号に係る波形データ保存動作を含むことを特徴とする請求項１乃至３のいずれか一項に記載の波形表示装置。
【請求項５】
前記波形に関する処理は、前記表示画面に表示された波形に係る印刷出力動作を含むことを特徴とする請求項１乃至３のいずれか一項に記載の波形表示装置。
【請求項６】
前記制御部は、前記操作パネル部により手動記録が選択されている場合、前記操作パネル部から保存の指示が入力されたときに、前記入力操作を記録し、前記入力操作から前記保存指示の入力までの時間を計測し、該時間に基づいた一連の前記処理手順を記録することを特徴とする請求項３乃至５のいずれか一項に記載の波形表示装置。
【請求項７】
前記制御部は、前記操作パネル部から前記処理手順の戻り又は送りの指示が入力されたとき、該指示が入力されたときより前の前記入力操作に係る処理に戻り、又は該指示が入力されたときより先の前記入力操作に係る処理に進むことを特徴とする請求項２乃至６のいずれか一項に記載の波形表示装置。
【発明の詳細な説明】
【０００１】
【発明の属する技術分野】
本発明は、デジタルオシロスコープ等の波形表示装置に関し、特に、種々の測定を繰り返して行う場合に、種々の測定のためのパネル表示設定、動作手順等を記録するようにして、測定の作業効率を高めた波形表示装置に関する。
【０００２】
【従来の技術】
従来の波形表示装置においては、測定に当たって、その測定対象の測定点に応じた電圧感度や掃引時間などの表示画面上の表示設定（以下、パネル表示設定という。）を変更し、測定点に応じた測定条件で測定を行っている。複数の測定点がある場合では、各測定点に応じたパネル表示設定を、測定の度に変更し、その後に測定を実行している。
【０００３】
そこで、従来の波形表示装置の代表的な概略ブロックの構成例を、図８に示した。図示されているように、波形表示装置は、フロントエンド部１、Ａ／Ｄ変換部２、アクイジション制御部３、波形メモリ４、表示制御部５、表示部（ＬＣＤ）６、操作パネル部７、マイクロプロセッサ８、内部メモリ９、外部記憶部１０、そして、印刷部１１から構成され、各部がバスによって接続され、マイクロプロセッサ８が各部の動作又は処理を制御している。
【０００４】
その波形表示装置の表示動作について説明すると、先ず、アナログ入力信号がフロントエンド部１に入力されると、該アナログ入力信号は、フロントエンド部１において振幅を適当に減衰または増幅され、Ａ／Ｄ変換器２によりデジタルデータに変換される。そして、変換されたデジタルデータは、アクイジション制御部３によって波形メモリ４に記憶される。一旦波形メモリ４に記憶されたデータは読み出されて、表示制御部５において表示用のデータに変換される。そこで、表示部（ＬＣＤ）６においてアナログ入力信号に対応する波形が表示される。
【０００５】
使用者が操作パネル部７を操作した場合に、マイクロプロセッサ８が、その操作を検知し、その操作によって入力された所定の設定を、フロントエンド部１及びアクイジション制御部３に設定する。また、使用者が操作パネル部７を操作し、パネル表示設定の保存や波形データの保存が実行された場合、マイクロプロセッサ８が、それを検知し、内部メモリ９或いは外部記憶部（ＦＤＤ）１０に挿入されたフレキシブルディスク（ＦＤ）などの記憶媒体に、パネル表示設定や波形データを記憶させる。また、使用者が操作パネル部７を操作することにより、ハード・コピーが実行される場合では、マイクロプロセッサ８が、その指示を検知し、プリンタなどの印刷部１１に、表示部６で表示されている画面のハード・コピーを行わせる。
【０００６】
次いで、以上の構成を有する波形表示装置を使用し、パネル表示設定の変更を行って、測定対象を測定する場合について、図９及び図１０を参照しながら詳細に説明する。
【０００７】
図９（ａ）は、測定対象を示しており、その測定対象は、例えば、プリント配線基板などのボードＢ１、Ｂ２、Ｂ３であり、そのボード上には複数の測定点が存在し、どのボードも同じ測定パターンを有しているとする。ここで、その一ボード上の測定点Ｐ１、Ｐ２及びＰ３について、図９（ｂ）に示した。各測定点に対して、測定手順に従って順次、測定しなければならないとする。
【０００８】
図１０に、測定手順に従った各測定点における測定条件と動作内容についての具体例を示した。同図において、測定手順１は、測定点Ｐ１における測定条件を表しており、掃引時間を、表示画面の一分割ブロック当たり１００ｍｓの時間（１００ｍｓ／ｄｉｖと表記）、電圧感度を、表示画面の一分割ブロック当たり１０ｍＶの値（１０ｍＶ／ｄｉｖと表記）のパネル表示設定で測定することを表している。なお、波形表示装置の表示画面上では、通常、画面の横方向と縦方向を複数に等分割し、目盛に対応する線が描画されている。ここでは、その描画された線で表されている範囲を分割ブロックと称した。
【０００９】
また、同図での測定手順２は、測定点Ｐ２における測定条件及び動作内容を表しており、掃引時間５００μｓ／ｄｉｖ、電圧感度１Ｖ／ｄｉｖのパネル表示設定で測定し、その測定されたデータを保存することを表している。同様に、同図での測定手順３は、測定点Ｐ３における測定条件及び動作内容を表しており、掃引時間１０μｓ／ｄｉｖ、電圧感度５Ｖ／ｄｉｖのパネル表示設定で測定し、その測定された表示画面上の表示波形をハード・コピーすることを表している。
【００１０】
従来の測定方法では、図１０に示されたような測定手順及び動作手順を行うには、各々測定項目において、手順毎に波形表示装置に対してパネル表示設定の操作を行う。例えば、図１０の測定手順１におけるパネル表示設定にするため、掃引時間を１００ｍｓ／ｄｉｖに、電圧感度を１０ｍＶ／ｄｉｖに、波形表示装置の操作パネル部７の操作を複数回行う必要がある。
【００１１】
また、パネル表示設定を保存・再生することが可能な波形表示装置の場合は、図１０の測定手順１におけるパネル表示設定を予め保存しておき、測定点Ｐ１を測定するときに、そのパネル表示設定を再生し、簡単な操作でパネル表示設定を再現できる。しかし、図１０の測定項目２では、測定されたデータを保存しなければならないので、使用者は、測定データを保存させるという操作を波形表示装置に対して、行わなければならない。
【００１２】
また、波形表示装置には、リモート制御機能を持つものもある。図１０にあるような測定及び動作手順をプログラムし、波形表示装置に対してそれを実行させることもできる。
【００１３】
【発明が解決しようとする課題】
上述した図９及び図１０を参照して説明したように、従来の測定方法では、測定点ごとに波形表示装置の操作パネル部を操作し、その測定点に応じたパネル表示設定を一々設定し直し、測定を行っていた。また、パネル表示設定の保存・再生機能を使用し、その測定点に応じたパネル表示設定を再生したとしても、パネル表示設定を再生させるための操作を波形表示装置に対して行わなければならない。
【００１４】
図９（ａ）に示すように、同一の測定点を持つ測定対象が複数個ある場合、同一の操作を何回も繰り返さなければならなく、煩わしいという問題があった。また、その測定作業に時間が掛かってしまう。
【００１５】
一方で、パソコンなどの外部制御装置から制御可能となっている波形表示装置の場合、外部制御装置により編集したパネル表示設定を設定可能であるとか、或いは、波形データを転送して波形の異常を確認可能なものもある。しかし、そのような設定や確認作業を行うためには、波形表示装置と外部制御装置との間に制御用ケーブルを接続し、さらに、制御用のプログラムを作成しなければならず、非常に大掛かりなものとなるという問題があった。
【００１６】
【課題を解決するための手段】
このような問題を解決するために、本発明では、アナログ入力信号をデジタルデータに変換して該入力信号の波形を表示画面に表示する制御部と、該制御部の処理に対して入力操作できる操作パネル部とを有する波形表示装置において、前記制御部が、前記操作パネル部から入力された入力操作を記録し、該入力操作に続く次入力操作が入力されるまでの時間を計測し、該時間を前記入力操作と前記次入力操作に関連させた一連の処理手順を記録することとした。
【００１７】
そして、前記制御部は、前記操作パネル部から再生指示が入力されたとき、記録された前記入力操作と前記時間に基づいた前記処理手順を再生しながら、入力されたアナログ入力信号の波形に関する処理を再生できるようにした。
【００１８】
また、前記入力操作は、前記表示画面に係るパネル表示設定を記録し、或いは、前記波形に関する処理は、前記入力信号に係る波形データ保存動作又は前記表示画面に表示された波形に係る印刷出力動作を含むものとした。
【００１９】
さらに、前記制御部は、前記操作パネル部により手動記録が選択されている場合、前記操作パネル部から保存の指示が入力されたときに、前記入力操作を記録し、前記入力操作から前記保存指示の入力までの時間を計測し、該時間に基づいた一連の前記処理手順を記録するようにした。
【００２０】
また、前記制御部は、前記操作パネル部から前記処理手順の戻り又は送りの指示が入力されたとき、該指示が入力されたときより前の前記入力操作に係る処理に戻り、又は該指示が入力されたときより先の前記入力操作に係る処理に進むこととした。
【００２１】
以上のようにして、種々の測定を繰り返して行う場合に、種々の測定のためのパネル表示設定、動作手順等を記録するようにして、簡単な操作で、測定の作業効率を高めた波形表示装置を実現した。
【００２２】
【発明の実施の形態】
以下、本発明の測定手順及び操作手順の保存及び再生を実行できる波形表示装置の実施形態を、図を参照しながら説明する。
【００２３】
ここで説明される測定を実行する波形表示装置には、図８に示される従来の構成を有するものが使用されるが、マイクロプロセッサ８のプログラムが、本実施形態を実行するために一部変更されており、本実施形態の操作を簡単に実行できるように、操作パネル部７にも、種々の操作ボタンが備えられている。
【００２４】
その操作パネル部７の具体例を、図１に示した。図１では、オシロスコープなどの波形表示装置の前面パネル部を示しており、その前面パネル部に、波形表示装置として波形などを表示する表示部６のＬＣＤによる表示画面６１と、種々の操作を行うための操作パネル部７とが配置されている。
【００２５】
操作パネル部７には、従来の波形表示装置にも備えられたテンキーなどを含むパネル表示設定などの操作を行うための操作ボタン群７０と、本実施形態を実行するのに関連する複数の操作ボタンとが配置されている。そして、その操作ボタンには、記録ボタン７１、保存ボタン７２、戻りボタン７３、停止ボタン７４、再生ボタン７５、送りボタン７６、中断ボタン７７が含まれる。これらの各ボタンが、使用者によって操作されることにより、複数の測定対象を測定するための測定手順及び動作手順の記録・保存、或いは、各手順の再生が行われる。
【００２６】
なお、種々の操作ボタン７１乃至７７は、押圧スイッチとして、前面パネルに備えられていてもよいが、オシロスコープの表示画面をタッチパネル方式で形成し、波形表示装置に自動又は手動記録する際に、操作に必要な各操作ボタンを表示するようにしてもよい。
【００２７】
次に、図１に示されるような波形表示装置の操作パネル部７を使用して、測定時における本実施形態による測定手順及び動作手順の保存及び再生について説明する。
【００２８】
この説明にあたっては、図８に示したブロック構成を有する波形表示装置を使用し、その操作パネル部７には、図１に示される前面パネルが備えられ、そして、図９（ａ）に示したプリント基板等の測定対象のボードＢ１、Ｂ２及びＢ３のように、同一の測定点を持つ複数の測定対象物を測定する場合を考える。
【００２９】
測定対象であるボードに関しては、図９（ｂ）に示されるように、ボードＢ１において、波形表示装置を用いて測定を行わなければならない測定点が、測定点Ｐ１、測定点Ｐ２及び測定点Ｐ３の３箇所であるとし、また、図１０に示されるように、測定点Ｐ１、Ｐ２、Ｐ３における測定手順及び動作内容が予め決められており、測定手順１、２、３の順番に測定を行わなければならないとする。
【００３０】
この様な測定条件を例として、測定手順、動作手順及び測定時間を含む一連の測定処理手順の自動記録動作について説明する。そこで、ボードの一つに関して、測定点Ｐ１から測定点Ｐ３に順次測定しながら、測定手順、動作手順及び測定時間を含む一連の測定処理手順が自動記録される動作概要を、図２に示した。図２では、使用者の操作と波形表示装置内の処理とを対比させ、各操作手順と処理の対応関係が明瞭となるようにした。
【００３１】
先ず、使用者が、ボード上の各測定点を測定するにあたって、図１に示される操作パネル部７における記録ボタン７１を押し、自動記録を開始させる。使用者は、測定点Ｐ１にプローブを接続し、そこで、測定点Ｐ１を測定するための最適なパネル表示設定を波形表示装置に対して行う（ステップＭ１）。このとき、波形表示装置では、そのときに入力されたパネル操作を内部メモリ９に保存する（ステップＴ１）。
【００３２】
例えば、測定条件が、図１０のように規定されている場合、掃引時間を１０ｍｓ／ｄｉｖ、電圧感度を１０ｍＶ／ｄｉｖに設定する。この際、波形表示装置は、掃引時間を１０ｍｓ／ｄｉｖ及び電圧感度を１０ｍＶ／ｄｉｖに設定する操作をそれぞれ記録する。
【００３３】
ここで、測定点Ｐ１を測定するためのパネル表示設定が終わると、使用者は、このパネル表示設定の状態で測定点Ｐ１の測定を開始する（ステップＭ２）。測定点Ｐ１に対して、５秒間の測定が行われるものとする。このとき、波形表示装置は、使用者が測定している時間を計測し、その計測時間５秒を記録する（ステップＴ２）。
【００３４】
次いで、使用者は、測定点Ｐ１の測定を終了して、測定点Ｐ２の測定に移行する。測定点Ｐ２の測定も、測定点Ｐ１の測定の場合と同様の手順であり、使用者が、測定点Ｐ２に対するパネル表示設定を波形表示装置に行うと（ステップＭ３）、波形表示装置では、そのときに入力されたパネル操作を内部メモリ９に保存する（ステップＴ３）。
【００３５】
そして、使用者が、測定点Ｐ２について測定を開始すると（ステップＭ４）、波形表示装置内では、その測定点Ｐ２に対する測定時間が計測され、その計測された測定時間、例えば、８秒が記録される（ステップＴ４）。
【００３６】
ところで、図１０に示された測定手順２では、測定手順１とは異なり、測定条件の他に、測定点Ｐ２について測定した波形データを保存するという動作内容が指示されているので、使用者が、操作パネル部７を操作して、測定点Ｐ２における測定データを保存する操作を波形表示装置に対して行う（ステップＭ５）。そうすると、波形表示装置内では、使用者によって当該測定点に対する測定データを保存する動作を保存する処理がなされる（ステップＴ５）。
【００３７】
さらに、使用者は、図１０に示された測定手順３に従って、測定点Ｐ３について測定を行うことになり、操作パネル部７を操作して測定点Ｐ３に対するパネル表示設定を行う（ステップＭ６）。波形表示装置内では、この操作を受けて、測定点Ｐ３のパネル操作を保存する（ステップＴ６）。
【００３８】
測定点Ｐ３について、使用者が測定を開始すると（ステップＴ７）、波形表示装置内では、測定点Ｐ３に係る測定時間を計測し、その測定時間を保存する（ステップＴ７）。
【００３９】
図１０に示された測定手順３では、測定項目１とは異なり、測定条件の他に、表示画面に表示された測定点Ｐ３について測定した波形をハード・コピーするという動作内容が指示されているので、使用者が、操作パネル部７を操作して、測定点Ｐ３における測定波形のハード・コピー操作を行う（ステップＭ８）。そうすると、波形表示装置内では、印刷部１１でハード・コピー出力がなされると共に、使用者による当該測定点に対する測定波形のハード・コピー動作を保存する処理がなされる（ステップＴ８）。
【００４０】
ここで、図１０に示された測定手順が終了したので、使用者は、図１に示される操作パネル部７における記録ボタン７１を押し、自動記録が終了する。
【００４１】
以上のようにして、図１０に示された測定手順に従って、測定対象であるボードＢ１について、測定点Ｐ１乃至Ｐ３に関する一連の測定が行われたことになる。そして、波形表示装置は、当該ボードに係る一連の測定に必要なパネル表示設定操作、各測定点に関わる測定時間、さらに、測定データ保存動作又はハード・コピー動作などの動作の手順を保存している。
【００４２】
従って、図９に示すような同一内容の測定を要する測定対象物が複数存在する場合には、最初に測定する測定対象、即ち、ボードＢ１の測定に際して、波形表示装置内に自動的に上述の測定手順及び動作手順が保存されることにより、次に測定するボードＢ２からは、この保存された測定手順及び動作手順を再生することにより、使用者は、ボードＢ２上の測定点に順次プローブを接触させていくだけで、ボードＢ２に関する測定を実行することができる。ボードＢ３に対しても同様にして測定を実行することができる。
【００４３】
図２に示した測定手順、動作手順及び測定時間の自動計測を行う場合の手順概要を説明したが、次に、自動記録動作における操作記録と使用者が測定している時間の計測の詳細について、図３を参照して説明する。
【００４４】
先ず、ボードＢ１について、図１０の測定条件及び動作内容に従って各ボードを測定するとき、最初の測定対象であるボードＢ１を測定するにあたって、波形表示装置に測定手順、動作手順及び測定時間の自動計測に関する一連の測定処理手順の自動記録を指示するため、使用者は、図１に示された前面操作パネルに供えられた記録ボタン７１を押圧して、記録処理の動作を開始させる（ステップＳ１）。
【００４５】
ここで、マイクロプロセッサ８は、記録ボタン７１が押圧されたこと検知し、この検知時における表示画面６１のパネル表示設定を、先ず保存する（ステップＳ２）。そして、測定時間カウンタ（Ｍ−Ｃｏｕｎｔ）と、測定中であるか否かを示す測定フラグ（Ｍ−ｆｌａｇ）を０に初期化する（ステップＳ３）。
【００４６】
次に、使用者が、パネル表示設定の操作入力を行ったかを判定する（ステップＳ４）。パネル表示設定の入力がない場合には（Ｎ）、測定時間カウンタのＭ−Ｃｏｕｎｔ値をインクリメントする（ステップＳ５）。
【００４７】
ここで、（Ｍ−Ｃｏｕｎｔ値）≧４（秒）で、かつＭ−ｆｌａｇ＝０であるかを判定する（ステップＳ６）。この判定では、パネル操作が４秒以上行われない場合は、使用者が測定中であるという判定を意味している。なお、この測定時間か否かを判定する時間の４秒は、予め使用者が波形表示装置に対して設定可能な値である。
【００４８】
ステップＳ６において、判定条件が成立していない場合には（Ｎ）、ステップＳ２に戻るが、その判定条件が成立している場合には（Ｙ）、測定中であると判断し、Ｍ−ｆｌａｇ＝１に設定する（ステップＳ７）。そして、ステップＳ４に戻り、使用者のパネル操作が行われるまで、ステップＳ５において、時間計測カウンタがインクリメントされ、測定時間が計測される。
【００４９】
一方、ステップＳ４において、パネル表示設定の操作入力がある場合（Ｙ）、そのときの測定フラグが、Ｍ−ｆｌａｇ＝１であるかどうかの判定が行われる（ステップＳ８）Ｍ−ｆｌａｇ＝１である場合には（Ｙ）、測定中ということになるので、このときの測定時間（Ｍ−Ｃｏｕｎｔ値）を記録しておく。
【００５０】
そこで、記録ボタン７１が押圧されたかどうかを判定する（ステップＳ１０）。一方、ステップＳ８において、測定フラグがＭ−ｆｌａｇ＝０の場合には（Ｎ）、測定中ではないので、ステップＳ９のＭ−Ｃｏｕｎｔ値の記録処理を行わず、ステップＳ１０の判定を行う。
【００５１】
ステップＳ１０において、パネル操作入力が記録ボタン７１であるかの判定が行われる。記録ボタン７１が押圧された場合は（Ｙ）、一連の処理手順の記録動作が終了となるが、記録ボタン７１が押圧されていない場合には（Ｎ）、使用者が行ったパネル操作が記録対象動作であるかが判定される（ステップＳ１１）。ここの記録対象動作とは、図１０における測定手順１及び２のデータ保存動作やハード・コピー動作を意味する。ここで、該当する動作である場合には（Ｙ）、その動作内容を保存する（ステップＳ１２）。
【００５２】
測定点Ｐ１の場合のように、ステップＳ１１において、該当する動作がない場合には（Ｎ）、ステップＳ１２の保存処理が行われない。次いで、使用者が行ったパネル操作について記録対象のパネル表示設定操作かどうかが判定される（ステップＳ１３）。記録対象のパネル表示設定である場合には（Ｙ）、パネル表示設定変更内容を記録し（ステップＳ１４）、ステップＳ３に戻る。一方、ステップＳ１３において、パネル表示設定の変更でない場合には（Ｎ）、ステップＳ３に戻る。
【００５３】
以上で、ボードＢ１の測定点Ｐ１における測定が終了したことになり、使用者は、次の測定を行うために、ボードＢ１の測定点Ｐ２にプローブを接続する。このときにも、測定点Ｐ１の測定で行った同様の入力操作が行われ、測定条件である掃引時間や電圧感度などのパネル表示設定を変更して、ボードＢ１の測定点Ｐ２の測定に最適なパネル表示設定にする。
【００５４】
この際にも、波形表示装置は、図３に示した処理手順に従って、使用者が行ったパネル表示設定変更内容を逐次、記録する。この状態で、使用者は、波形表示装置に表示された波形を８秒間測定する。このとき、波形表示装置は、上述した測定時間の計測方法に従って、使用者が測定している時間かどうかを判定しながら、その測定時間を記録していく。
【００５５】
また、測定点Ｐ２で測定された波形データは保存するデータとなっているので、使用者は、波形データを保存する操作を波形表示装置に対して行う。このとき、波形表示装置では、図３のステップＳ１２の処理に従って、測定した波形データを保存するという動作が記憶される。
【００５６】
最後に、使用者は、ボードＢ１の測定点Ｐ３についても、測定点Ｐ１又はＰ２の測定の場合と同様の操作を行い、波形表示装置では、図３の処理フローに従って自動記録がなされる。使用者が行ったパネル表示設定操作が逐次、記録される。使用者は、測定点Ｐ３における最適なパネル表示設定を行い、波形表示装置に表示された波形を１０秒間測定する。このとき、波形表示装置は、上述した測定時間の計測方法に従って、使用者が測定している時間かどうかを判定しながら、その測定時間を記録していく。測定点Ｐ３の場合は、その測定時間１０秒が記録される。
【００５７】
測定点Ｐ３の測定結果については、ハード・コピーを行う測定項目となっているので、使用者は、ハード・コピーを波形表示装置に対して操作する。この際、図３のステップＳ１２において、波形表示装置では、表示波形のハード・コピーを実行するという動作が記録される。
【００５８】
これで、ボードＢ１に関する全ての測定項目が測定終了したので、使用者は、図１の操作パネル部７における記録ボタン７１を再び押し、記録ボタン７１の２度押しによって自動記録動作が終了する。図３の処理フローでは、ステップＳ１０において、記録ボタン７１の再押圧が検知されて、終了する（ステップＳ１５）。
【００５９】
このように、使用者は、同一測定内容の複数の測定対象が存在する場合に、最初の測定対象ボードＢ１を測定する際に、測定手順、動作手順及び測定時間の一連の処理手順を自動記録できるので、２番目以降のボードＢ２及びＢ３の測定対象に係る測定に対しては、この一連の処理手順を波形表示装置で再生することにより、使用者は、所定の測定点にプローブを接触させるだけという簡単な作業で測定することができる。したがって、種々の測定条件及び動作内容を含む波形表示装置に対する作業を、その測定の都度、変更操作しなければならないという手間を省くことができる。
【００６０】
ところで、図２には、測定手順、動作手順及び測定時間の一連の処理手順を自動記録動作させる場合の操作及び処理の概要が示されたが、図４には、一連の測定手順及び動作の処理手順を波形表示装置に全て自動的に記録させる代わりに、測定手順、動作手順及び測定時間を任意のタイミングで手動的に記録し、測定に係る一連の処理手順を記録できるようにした場合の動作概要を示した。図４においても、図２と同様に、使用者の操作の手順に対応させて、波形処理装置内の処理を示している。
【００６１】
測定手順、動作手順及び測定時間の記録するに際しては、例えば、操作ボタン７０に備えられた選択ボタンを操作することにより、使用者が、自動記録か手動記録かの選択を予め波形表示装置に対して設定できるようになっており、ここでは、手動記録が選択されるものとする。この手動記録の場合でも、図１０に示される測定項目に対する測定条件及び動作内容が設定されるものとする。
【００６２】
先ず、使用者が、ボード上の各測定点を測定するにあたって、図１に示される操作パネル部７における記録ボタン７１を押圧し、手動記録を開始させる。使用者は、測定点Ｐ１にプローブを接続し、そこで、測定点Ｐ１を測定するための最適なパネル表示設定を波形表示装置に対して行う（ステップＭ１１）。
【００６３】
次いで、使用者は、保存ボタン７２を押圧し（ステップＭ１２）、測定点Ｐ１における測定を開始する（ステップＭ１３）。このとき、波形表示装置では、そのときに入力された測定点Ｐ１に係るパネル表示設定を内部メモリ９に保存し、測定点Ｐ１に対する測定時間の計測を開始する（ステップＴ１１）。
【００６４】
ここで、このパネル表示設定の状態で測定点Ｐ１の測定が行われているが、使用者自身の測定ペースに従い、該測定が終了した任意のタイミングで、保存ボタンを押圧する（ステップＭ１４）。このとき、波形表示装置は、使用者が測定している時間を計測しており、保存ボタン７２が押圧されたときが、計測開始から５秒経過していれば、その計測時間５秒が記録される（ステップＴ１２）。
【００６５】
次いで、使用者は、測定点Ｐ１の測定を終了して、測定点Ｐ２の測定に移行する。測定点Ｐ２の測定も、測定点Ｐ１の測定の場合と同様の手順であり、使用者が、測定点Ｐ２に対するパネル表示設定を波形表示装置に行い（ステップＭ１５）、保存ボタン７２を押圧する（ステップＭ１６）。ここで、波形表示装置では、そのときに入力された測定点Ｐ２に対するパネル表示設定を内部メモリ９に保存し、測定点Ｐ２に対する測定時間の計測を開始する（ステップＴ１３）。
【００６６】
そして、使用者が、測定点Ｐ２について測定を開始する（ステップＭ１７）。図１０に示されるように、測定手順２の測定点Ｐ２について、測定データの保存が指示されているので、使用者は、測定点Ｐ２の測定終了後に、測定点Ｐ２における測定データの保存操作を操作ボタン７０により行う。そこで、使用者は、保存ボタン７２を押圧する（ステップＭ１９）。波形表示装置内では、その測定点Ｐ２に対する測定時間の計測開始から、保存ボタン７２が押圧されたときまでの測定時間、例えば、８秒が記録されるとともに、測定点Ｐ２の測定データ保存動作が保存される（ステップＴ１４）。
【００６７】
さらに、使用者は、図１０に示された測定手順３に従って、測定点Ｐ３について測定を行うことになり、操作パネル部７を操作して測定点Ｐ３に対するパネル表示設定を行い（ステップＭ２０）、保存ボタン７２を押圧する（ステップＭ２１）。ここで、波形表示装置では、そのときに入力された測定点Ｐ３に対するパネル表示設定を内部メモリ９に保存し、測定点Ｐ３に対する測定時間の計測を開始する（ステップＴ１５）。
【００６８】
次いで、測定点Ｐ３について、使用者が測定を開始する（ステップＭ２２）。図１０に示されるように、測定項目３の測定点Ｐ３について、表示画面に表示された測定波形についてハード・コピーすることが指示されているので、使用者は、測定点Ｐ３の測定終了後に、測定点Ｐ３における測定波形のハード・コピー操作を操作ボタン７０により行う、印刷部１１から出力させる（ステップＭ２３）。
【００６９】
そこで、使用者は、保存ボタン７２を押圧する（ステップＭ２４）。波形表示装置内では、その測定点Ｐ３に対する測定時間の計測開始から、保存ボタン７２が押圧されたときまでの測定時間、例えば、１０秒が記録されるとともに、測定点Ｐ３の測定波形のハード・コピー動作が保存される（ステップＴ１６）。
【００７０】
以上のようにして、図１０に示された測定条件及び動作内容に従って、測定対象であるボードＢ１について、測定点Ｐ１乃至Ｐ３に関する一連の測定が行われ、その操作の都度、使用者が保存ボタンを押圧することにより、測定条件及び動作内容に従った測定手順、動作内容及び測定時間を含む一連の処理手順を手動で記録することができた。
【００７１】
次に、測定手順、動作手順及び測定時間の手動記録動作の詳細を図５のフローチャートを参照して説明する。ここでも、手動記録について、使用者が予め波形表示装置に対して設定しているものとする。
【００７２】
使用者が、図１の操作パネル部７における記録ボタン７１を押圧すると、手動記録動作が開始される（ステップＳ２１）。このとき、記録動作が開始されると、先ず、測定時間カウンタ（Ｍ−Ｃｏｕｎｔ値）と測定フラグ（Ｍ−ｆｌａｇ）がそれぞれ０に初期化される（ステップＳ２２）。
【００７３】
次に、使用者は、測定点Ｐ１にプローブを接続し、測定点Ｐ１を測定するための最適なパネル表示設定を波形表示装置に対して行う。例えば、掃引時間を１０ｍｓ／ｄｉｖ、電圧感度を１０ｍＶ／ｄｉｖに設定する。波形表示装置内では、記録ボタン７１が押圧されたかどうかが判断され（ステップＳ２３）、ここでは、記録ボタン７１が押圧されていないから（Ｎ）、続いて、保存ボタン７２が押圧されるかどうかを判断している（ステップ２４）。
【００７４】
ここで、記録ボタン７１、保存ボタン７２のいずれも押圧されていない場合には、測定フラグ（Ｍ−ｆｌａｇ）が１であるかどうかが判定され（ステップＳ２５）、ステップＳ２３に戻り記録ボタン７１か保存ボタン７２が押圧されるまで、この処理が繰り返される。
【００７５】
使用者が、保存ボタン７２を押圧した場合、ステップＳ２７にてＭ−ｆｌａｇ＝１かどうかの判定を行う。ここでは、Ｍ−ｆｌａｇ＝０であるので（Ｎ）、測定点Ｐ１のパネル表示設定が保存される（ステップ２８）。そして、ステップ２９にてＭ−ｆｌａｇを１に設定して、測定時間の計測を開始する。
【００７６】
このようにして、測定点Ｐ１に係る測定時間の測定が開始される。測定時間の測定中には、測定フラグ（Ｍ−ｆｌａｇ）が１であるので、ステップＳ２５において、Ｍ−ｆｌａｇ＝１と判定され（Ｙ）、測定時間カウンタがインクリメントされる（ステップ２６）。この処理は、保存ボタン７２が押圧されるまで繰り返され、測定時間カウンタのＭ−Ｃｏｕｎｔ値が増え、測定時間が計測される。
【００７７】
この状態で、使用者は５秒間の測定を行い、再度、保存ボタン７２を押圧すると、ステップＳ２４を経て、ステップＳ２７においてＭ−ｆｌａｇ＝１と判定され（Ｙ）、そこで、ステップＳ３０においてカウントされたＭ−Ｃｏｕｎｔ値が保存される。これで、これまでの測定時間が記録される。更に、ステップＳ３１にてＭ−ｆｌａｇおよびＭ−Ｃｏｕｎｔを０にして測定時間の測定が終了する。
【００７８】
このような処理操作により、測定点Ｐ１の測定時間、例えば５秒間が記録される。同様な操作で、測定点Ｐ２におけるパネル表示設定と測定時間が保存される。更に、測定点Ｐ２においては、波形データの保存動作を行った後に、保存ボタン７２が押圧されると、ステップＳ３２において、記録対象動作であると判断されて（Ｙ）、その波形データ保存の動作内容が保存される（ステップＳ３３）。
【００７９】
測定点Ｐ３の測定についても同様に、パネル表示設定、測定時間及びハード・コピー動作が記録される。最後に、使用者が、記録ボタン７１を押圧すると（ステップＳ２３のＹ）、ボードＢ１の測定に関する記録動作を終了する。
【００８０】
以上のように、図３の自動記録処理と、図５の手動記録処理との間で、両者が自動と手動の相違があるものの、図９に示されたような複数の測定点を含む同一測定内容の測定対象物が多く存在する場合に、測定対象間で共通する測定手順、動作内容及び測定時間を含む一連の測定処理手順が波形表示装置内に保存されている。そこで、次の同一測定点を持つ別の測定対象物を測定するときにおいて、その測定手順及び操作手順の処理手順に対する再生動作について説明する。その概要を、図６に示した。
【００８１】
ボードＢ１と同一の測定項目に従って、ボードＢ２及びＢ３の測定を行うものとする。それぞれ、先に測定されたボードＢ１と同一の測定点及び測定内容であるので、ボードＢ２及びＢ３に対する測定条件及び動作内容は、基本的に、図２と図４とに示した使用者の操作と同様であるが、波形表示装置内には、ボードＢ１の測定時に得られた測定手順、動作内容及び測定時間を含む一連の測定処理手順が既に保存されているので、使用者の操作は、保存されている測定時間に合わせて表示画面のパネル表示設定が再生される毎に、該当測定点にプローブを接触させ、測定を開始すればよい。
【００８２】
使用者によって、図１の操作パネル部７における再生ボタン７５が押圧されると、波形表示装置の内部に記憶された先に保存された測定手順及び動作手順が実行される。そうすると、波形表示装置では、図６における測定処理手順が、次に説明するように、逐次実行される。
【００８３】
波形表示装置は、最初に、保存された測定点Ｐ１に関するパネル表示設定を再生し、測定点Ｐ１のパネル表示設定操作が復元される（ステップＴ２１）。ここで、ボードＢ２における測定点Ｐ１に対する最適なパネル表示設定にされる。
【００８４】
次に、測定時間待ちが実行され（ステップＴ２２）、その時間内に、使用者は、測定点Ｐ１にプローブを接続し、測定点Ｐ１の波形を観測し、波形を測定する（ステップＭ２１）。保存された測定時間が経過した後に、測定点Ｐ２における最適なパネル表示設定が復元される（ステップＴ２３）。そして、測定点Ｐ２における測定待ち時間が実行される（ステップＴ２４）。ここで、使用者は、その測定時間内に、測定点Ｐ２にプローブを接続し、測定点Ｐ２の波形を観測する。次に、この状態で、波形データの保存動作が実行され（ステップＴ２５）、ボードＢ２の測定点Ｐ２における波形データが保存される。
【００８５】
最後に、測定点Ｐ３についても、パネル表示設定操作が復元され（ステップＴ２６）、測定時間待ちが開始され（ステップＴ２７）、使用者が測定時間内に測定点Ｐ３について観測すると（ステップＭ２３）、測定点Ｐ３における測定波形についてハード・コピー動作が実行される（ステップＴ２８）。これで、ボードＢ２に対する測定が終了する。
【００８６】
ボードＢ３以降の測定対象に対しても、同様に、使用者が、再度、図１に示した再生ボタン７５を押圧することにより、波形表示装置に保存された測定手順及び動作手順に従って再生され、使用者は、その手順に従って該当箇所の測定を実行すればよい。
【００８７】
このようにして、同一測定対象が複数存在する場合には、使用者は、波形表示装置をその測定対象毎に操作することなく、各測定対象のボードＢ２及びＢ３の測定及びデータ収集を効率的に行うことができる。
【００８８】
また、図６に示した測定手順、操作手順及び測定時間を含む一連の測定処理手順についての再生処理の途中において、使用者が、図１に示した停止ボタン７４を押圧することにより、その再生処理を強制終了することができる。
【００８９】
また、再生時に、使用者が測定を失敗してしまった場合や、その測定をスキップさせたいような場合には、図７に示されるように、図１における戻りボタン７３を押圧し（ステップＭ３１）、或いは、送りボタン７６を押圧することにより（ステップＭ３２）、所望のステップへ戻る又は先送りすることを行うことができる。なお、図７において、波形表示装置内の処理（ステップＴ２１〜Ｔ２８）は、図６に示された波形表示装置内の処理と同様の手順で行われる。
【００９０】
例えば、図７に示した再生動作では、測定点Ｐ２の測定時間８秒の間に、ステップＭ３１のように、戻りボタン７３を押圧すると、ステップＴ２３における測定点Ｐ２のパネル表示設定の再度復元から再生することができる。また、ステップＭ３２に示すように、送りボタン７６を押圧することにより、次の測定である測定点Ｐ３のパネル表示設定の復元から再生することができる。
【００９１】
一方、中断ボタン７７を押圧することにより、途中の任意のステップにおいて、その再生動作を中断させることができる。さらに、使用者が、再び、再生ボタン７５を押圧すると、停止したときのステップの動作から再生される。
【００９２】
【発明の効果】
以上に説明したことから明らかなように、発明の波形表示装置によれば、操作パネル部から入力された入力操作を記録し、該入力操作に続く次入力操作が入力されるまでの時間を計測し、該時間を前記入力操作と前記次入力操作に関連させた一連の測定処理手順を装置内部に記録するようにしたので、同一測定内容の測定対象物が複数存在する場合に、測定手順及び動作手順が簡単な操作で、波形表示装置内部に記録できる波形表示装置が実現され、各測定対象の測定の都度、繰り返し同じ入力操作を行う必要がなくなる。
【００９３】
また、本発明の波形表示装置では、測定手順及び動作手順を記録する際、使用者が測定していた測定時間も自動記録又は手動記録が可能であり、同一内容の測定項目を持つ測定対象に対し、波形表示装置に対して操作を加えることなく、時間の節約になり、利便性がある波形表示装置を実現することができた。
【００９４】
さらに、本発明の波形表示装置によれば、装置内に記録された測定手順及び動作手順を繰り返し再生可能としたので、同一の測定点を持つ複数の測定対象物に対して、効率的な測定が可能となる。
【００９５】
また、本発明の波形表示装置によれば、装置内に記録された測定手順、動作手順及び測定時間を含む一連の測定処理手順を再生中に、その再生動作を停止又は中断、戻り、送りの各操作が可能となっているので、波形観測時の利便性が向上する。
【図面の簡単な説明】
【図１】波形表示装置の前面に設けられた操作パネル部の具体例を示す図である。
【図２】測定手順、動作手順及び測定時間の処理手順を自動記録する場合の概要を説明するフロー図である。
【図３】測定手順、動作手順及び測定時間の処理手順を自動記録する場合の詳細を説明するフローチャートである。
【図４】測定手順、動作手順及び測定時間の処理手順を手動記録する場合の概要を説明するフロー図である。
【図５】測定手順、動作手順及び測定時間の処理手順を手動記録する場合の詳細を説明するフローチャートである。
【図６】測定手順、動作手順及び測定時間の処理手順の再生を行う場合を説明するフロー図である。
【図７】測定手順、動作手順及び測定時間の処理手順の再生時における戻り動作、送り動作を行う場合を説明する図である。
【図８】波形表示装置の概略ブロック構成を示す図である。
【図９】測定対象ボードにおける測定点を説明する図である。
【図１０】測定対象ボードの測定点に対する測定条件と動作内容を説明する表である。
【符号の説明】
１…フロントエンド部
２…Ａ／Ｄ変換部
３…アクイジション制御部
４…波形メモリ
５…表示制御部
６…表示部
７…操作パネル部
８…マイクロプロセッサ
９…内部メモリ
１０…外部記憶部
１１…印刷部
６１…表示画面
７０…操作ボタン
７１…記録ボタン
７２…保存ボタン
７３…戻りボタン
７４…停止ボタン
７５…再生ボタン
７６…送りボタン
７７…中断ボタン
【図１】
2004077443.tif 000003
【図２】
2004077443.tif 000004
【図３】
2004077443.tif 000005
【図４】
2004077443.tif 000006
【図５】
2004077443.tif 000007
【図６】
2004077443.tif 000008
【図７】
2004077443.tif 000009
【図８】
2004077443.tif 000010
【図９】
2004077443.tif 000011
【図１０】
2004077443.tif 000012